(57)【要約】【課題】コイルスプリングの復元力を利用して筋力鍛錬するのみならず、人体との接触によってマッサージ効果を発揮させる。【解決手段】コイルスプリングの巻軸線方向の中途部表面に、人体と接触可能な凹凸部２を複数形成している。【選択図】図１
2007190202.tif 000002
【特許請求の範囲】
【請求項１】
コイルスプリングの巻軸線方向の中途部表面に、人体と接触可能な凹凸部（２）を複数形成していることを特徴とする運動具。
【請求項２】
前記コイルスプリングの一端に嵌合部（３）を形成し、他端に前記嵌合部（３）と嵌脱自在な嵌入部（４）を形成していることを特徴とする請求項１に記載の運動具。
【請求項３】
前記凹凸部（２）の凸部（６）はすそ野から頂部まで巻径を次第に大きくしていることを特徴とする請求項１または２に記載の運動具。
【発明の詳細な説明】
【技術分野】
【０００１】
本発明は、筋力鍛錬、マッサージ等の多種の用途に利用が可能な運動具に関するものである。
【背景技術】
【０００２】
特許文献１に示す握力増強具は、可撓性を有する筒状体の周方向の一部に、長手方向全長に亘る開口部を形成しており、前記筒状体の外周を小さくする（握り潰す）ように力を加えると、変形した筒状体が元に戻ろうとする際の復元力で握力を鍛錬可能となっている。
【特許文献１】特開昭５９−１８９８７１号公報
【発明の開示】
【発明が解決しようとする課題】
【０００３】
特許文献１の握力増強具は筋力鍛錬はできるがマッサージの用途に用いられることは困難であり、単一の目的にのみ使用される。
本発明は、このような問題点を解決し得る運動具を提供することを目的とする。
本発明は、コイルスプリングの復元力を利用して筋力鍛錬できるのみならず、人体との接触によってマッサージ効果を発揮できるようにした運動具を提供すること目的とする。
【課題を解決するための手段】
【０００４】
前記目的を達成するため、本発明は次の手段を講じた。即ち、
コイルスプリングの巻軸線方向の中途部表面に、人体と接触可能な凹凸部２を複数形成している。
また、前記コイルスプリングの一端に嵌合部３を形成し、他端に前記嵌合部３と嵌脱自在な嵌入部４を形成しているのが好ましく、前記凹凸部２の凸部６はすそ野から頂部まで巻径を次第に大きくしているのが好ましい。
【０００５】
これによって、コイルスプリングの復元力を利用して筋力鍛錬できるのみならず、コイルスプリングの中途部表面の凹凸部２が人体と接触することによりマッサージ可能となる。
また、嵌合部３に嵌入部４を嵌入させてリング状に連結可能となっているので、リング状の運動具１を繰り返し潰すことによる筋力鍛錬とマッサージとが可能となる。
【０００６】
さらに、前記凹凸部２の凸部６はすそ野から頂部まで巻径を次第に大きくしているので、コイルスプリングが凹凸部２の凹部５と凸部６との境目で屈曲しにくくなり、高い復元力を発揮させることが可能となる。
【発明の効果】
【０００７】
本発明の運動具により、コイルスプリングの復元力を利用して筋力鍛錬できるのみならず、人体との接触によってマッサージ効果を発揮できる。
【発明を実施するための最良の形態】
【０００８】
以下、図面に基づいて本発明の実施形態を説明する。
本発明の運動具１はコイルスプリングの復元力を利用したストレッチ、エクササイズ又はトレーニング等の用途に、人体に接触させてのマッサージ、リハビリテーション等の治療具としての用途に用いられるものである。特に好ましくは、前記運動具１は、スプリングの復元力を利用した握力の鍛錬を行いつつ、人体のマッサージの用途に用いられる。
【０００９】
図１に示されるように、第１実施形態の運動具１は左右に長い丸筒状のコイルスプリングであって、金属線を螺旋状に巻回して構成されており、中途部の巻径を大きくすることで太鼓状に径外側に突出した凹凸部２が複数箇所に亘って形成されている。また、前記運動具１は、一方の巻端（巻軸線方向一端であり、図１では左側）に嵌合部３が形成されており、他方の巻端にこの嵌合部３に嵌入する嵌入部４が形成されている。
【００１０】
前記凹凸部２は、コイルスプリングの中途部の巻径を端部より大きくすることで形成されており、巻端から横（左右）方向に亘って一定の巻径が連続する凹部５と、この凹部５より大きな巻径に巻かれた凸部６とが、横方向に交互に形成されており、前記凸部６が凹部５より径外側に太鼓状に突出形成されている。前記凸部６は、凹部５と接するすそ野から巻軸線方向に頂部に向かって巻径を次第に大きくして、凸部６の頂部は一定の巻径で巻回されている。
【００１１】
前記嵌合部３は、前記凹部５のストレート状の巻端の内側に形成されており、前記凹部５より小径の嵌入部４を嵌挿自在となっている。前記嵌入部４は、この嵌合部３の巻内周径と（外周が）略同一径の巻径に巻回されており、前記運動具１の両端をリング状に連結するように嵌合部３に嵌脱自在に嵌入可能となっている。
前記運動具１は中途部に太鼓状に径外側に突出した凹凸部２が複数箇所に亘って形成されており、この凹凸部２を人体の手掌、足裏、肩または腕に押し当てて、マッサージやつぼの刺激を可能とする。例えば、全長１０〜３０ｃｍ、巻径を凹部５の径で５〜３０ｍｍのコイルスプリングで構成することで、前記嵌合部３に嵌入部４を嵌入して環状に連結した状態（連結状態）で握り込むことが可能となり、握力を鍛錬しながらのつぼの刺激が可能となる。また、運動具１は隣接巻部同士が互いに接するように巻回することで、握り込み時に隣接ターンの何れかが人体に接触して確実にマッサージできるようになる。
【００１２】
図２に示すように、前記嵌入部４を嵌合部３に嵌入させると、運動具１は環状に連結された中立状態となり、変形姿勢から中立姿勢に復元する方向に復元力が作用する。この復元力を利用して握力の鍛錬等が可能となる。また、運動具１を握った状態で肩や腕に押し当てて摺動させることで、マッサージすることも可能となる。
なお、例えば青竹踏みのように足裏のつぼを刺激する場合などでは、ストレート（非連結）状態で使用しても良い。
【００１３】
連結状態の運動具１は、各巻部がリングの外方に向かって扇状に拡がって皮膚に接触する。このとき、前記凸部６の巻部はリングの外方に突出しているので、この凸部６の巻部が一定間隔をあけて人体に接触するので、人体に強い刺激が及ぶことなく適度な刺激を与えつつマッサージできる。
図３に示すように、第２実施形態の運動具１は、前記凹凸部２が断面視波状に形成されており、凸部６が連続した曲線状断面を有するように、ストレート状に巻回された凹部５から径外側に向かって隆起形成されている。前記凹凸部２がなだらかに連続した曲線断面状に形成されており、巻径が連続的にかつ緩やかに変化する。これによって、第１実施形態の運動具１に比べると巻径の変化が緩やかであるので、環状の連結姿勢が屈曲しにくくなり、第１実施形態の運動具１に比べて復元力が大きくでき、握力鍛錬を主な目的とする場合に有利である。
【００１４】
図４に示すように、第３実施形態の運動具１は、前記凹凸部２が断面視三角状に形成されており、凸部６がストレート状に巻回された凹部５より径外側に尖った断面を有するように隆起形成されている。特に、尖鋭状断面を有する凸部６の頂部はつぼを強く刺激するので、良好なマッサージ効果等を得ることができる。
本発明は前記実施形態における各部材の形状およびそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００１５】
例えば、運動具１のコイルスプリングは上記実施形態では丸筒状であったが、多角筒状のコイルスプリングを用いても良い。
なお、運動具１のコイルスプリングは隣接巻部が完全に接した密巻きのものが好ましいが、隣接巻部が完全に接していないものでも良く、例えば凹部５や凸部６のいずれかが密巻きのものとしても良い。
【００１６】
なお、上記実施形態においては嵌入部４を嵌合部３の内周径と同一径として、嵌合部３に嵌入部４を嵌入できるように構成したが、例えば嵌入部４の外径に合わせて嵌合部３を大径に形成しても良く、また嵌脱自在な嵌合部３及び嵌入部４に代えて他の連結手段を用いても良い。
【図面の簡単な説明】
【００１７】
【図１】本発明の第１実施形態のマッサージ具の一部断面正面図である。
【図２】同マッサージ具の連結状態の斜視図である。
【図３】第２実施形態のマッサージ具の正面図である。
【図４】第３実施形態のマッサージ具の正面図である。
【符号の説明】
【００１８】
１    マッサージ具
２    凹凸部
３    嵌合部
４    嵌入部
５    凹部
６    凸部
【図１】
2007190202.tif 000003
【図２】
2007190202.tif 000004
【図３】
2007190202.tif 000005
【図４】
2007190202.tif 000006